(57)【要約】  本発明は、光開始剤、重合性化合物および難燃剤を含む放射線硬化型ソルダーマスクインキジェットインキを提供し、それによってはんだ付け工程の間の高い熱ストレスに耐え、同時に優れた物理的特性および難燃性を維持する高品質ソルダーマスクが生産され得る。【特許請求の範囲】
【請求項１】
光開始剤、重合性化合物および難燃剤を含んでなる放射線硬化型ソルダーマスクインキジェットインキであって、難燃剤が式Ｉ
【化１】
2021507966.tif 000028
式中、
Ｒ1は、置換もしくは非置換アルキル基、置換もしくは非置換アルケニル基、置換
もしくは非置換アルキニル基、置換もしくは非置換アルカリール基、置換もしくは
非置換アラルキル基、および置換もしくは非置換アリール基からなる群から独立し
て選択され；
Ｒ2は、ＯＲ4、水素、置換もしくは非置換アルキル基、置換もしくは非置換アルケ
ケニル基、置換もしくは非置換アルキニル基、置換もしくは非置換アルカリール基、
置換もしくは非置換アラルキル基、および置換もしくは非置換アリール基からなる
群から選択され；
Ｒ3は、ＯＲ5、置換もしくは非置換アルキル基、置換もしくは非置換アルケニル
基、置換もしくは非置換アルキニル基、置換もしくは非置換アルカリール基、置換
もしくは非置換アラルキル基、および置換もしくは非置換アリール基からなる群か
ら選択され；
Ｒ4およびＲ5は、置換もしくは非置換アルキル基、置換もしくは非置換アルケニル
基、置換もしくは非置換アルキニル基、置換もしくは非置換アルカリール基、置換
もしくは非置換アラルキル基、および置換もしくは非置換アリール基からなる群か
ら選択され；
ただしＲ1からＲ5の少なくとも１つは置換もしくは非置換アリールを表す
に従う化学構造を有することを特徴とする前記放射線硬化型ソルダーマスクインキジェットインキ。
【請求項２】
Ｒ1からＲ5の少なくとも２つの基が置換もしくは非置換アリール基により表される請求項１に記載の放射線硬化型ソルダーマスクインキジェットインキ。
【請求項３】
Ｒ1からＲ5が、置換もしくは非置換アリール基を表す請求項１または２に記載の放射線硬化型ソルダーマスクインキジェットインキ。
【請求項４】
難燃剤が、式ＩＩ
【化２】
2021507966.tif 000029
式中、
Ｒ６からＲ９が置換もしくは非置換アリール基を独立して表し、そしてＬが芳香族
炭素原子を介してホスフェート基に結合した二価の連結基を表す
に従う化学構造を有する請求項１から３のいずれかに記載の放射線硬化型ソルダーマスクインキジェットインキ。
【請求項５】
難燃剤が、ビスフェノールＡ，ビスフェノールＡＰ，ビスフェノールＢ，ビスフェノールＢＰ，ビスフェノールＣ，ビスフェノールＥ，ビスフェノールＦ，ビスフェノールＧ，ビスフェノールＭ，ビスフェノールＳ，ビスフェノールＰ，ビスフェノールＰＨ，ビスフェノールＴＭＣ，ビスフェノールＺおよびレゾルシノールからなる群から選択される二官能性フェノール化合物のジホスフェートエステルである請求項４に記載の放射線硬化型ソルダーマスクインキジェットインキ。
【請求項６】
インキジェットインキが、フリーラジカル重合性インキジェットインキまたはカチオン性重合性インキジェットインキである、請求項１から５のいずれかに記載の放射線硬化型ソルダーマスクインキジェットインキ。
【請求項７】
カチオン性重合性インキジェットインキが、少なくとも１つのエポキシ、少なくとも１つのビニル  エーテル、または少なくとも１つのオキセタン基を含むカチオン性重合性化合物を含んでなる請求項６に記載の放射線硬化型ソルダーマスクインキジェットインキ。
【請求項８】
カチオン性重合性化合物が、７−オキサビシクロ［４．１．０］ヘプタ−３−イルメチル  ７−オキサビシクロ［４．１．０］ヘプタン−３−カルボキシレート、ビス［１−エチル（３−オキセタニル）］メチルエーテル、ポリ［（２−オキシラニル）−１，２−シクロヘキサンジオール］−２−エチル−２−（ヒドロキシメチル）−１，３−プロパンジオール  エーテル、２−（２）ビニルオキシエトキシ−エチル  アクリレート、１，４−シクロヘキサン−ジメタノール  ジビニル  エーテル、トリメチロール−プロパン  トリビニル  エーテル、トリエチレングリコール  ジビニル  エーテル、３−エチル−３−［（フェニルメトキシ）メチル］−オキセタンおよびビス［１−エチル（３−オキセタニル）］メチル  エーテルからなる群から選択される請求項７に記載の放射線硬化型ソルダーマスクインキジェットインキ。
【請求項９】
フリーラジカル重合性インキジェットインキが、ネオペンチル  グリコール  ヒドロキシピバレート  ジアクリレート、イソボルニル  アクリレート、ジプロピレン  グリコール  ジアクリレート、トリメチロール  プロパン  トリアクリレート、および２−（ビニルエトキシ）エチルアクリレートからなる群から選択されるラジカル重合性化合物を含んでなる請求項６に記載の放射線硬化型ソルダーマスクインキジェットインキ。
【請求項１０】
さらにフェノール樹脂またはヒドロキシスチレン系樹脂を含んでなる請求項１から９のいずれかに記載の放射線硬化型ソルダーマスクンキジェットインキ。
【請求項１１】
電子装置を製造する方法であって：
−導電パターンを含む誘電性基板に、請求項１から１０のいずれかに定義した放射線硬化型ソルダーマスクインキジェットインキを噴射し；そして
−噴射したソルダーマスクインキジェットを硬化する、
工程を含む前記方法。
【請求項１２】
硬化がＵＶ照射を使用して行われる請求項１１に記載の方法。
【請求項１３】
加熱工程も含んでなる請求項１１または１２に記載の方法。
【請求項１４】
加熱工程が８０から２５０℃の間の温度で行われる請求項１３に記載の方法。
【請求項１５】
電子装置がプリント回路基板である請求項１１から１４のいずれかに記載の方法。
【発明の詳細な説明】
【技術分野】
【０００１】
発明の技術分野
本発明は、プリント回路板を製造するためのソルダーマスク（ｓｏｌｄｅｒ  ｍａｓｋ）インキジェットインキおよびインキジェット法に関する。
【背景技術】
【０００２】
発明の背景
インキジェット印刷法は、プリント回路板（ＰＣＢ）の製法を更に改善するために提唱されてきた。
【０００３】
インキジェット印刷法およびインキジェットインキは、例えば特許文献１（Ａｇｆａ）および特許文献２（Ｍａｒｋｅｍ−Ｉｍａｊｅ）では、レジェンド印刷（ｌｅｇｅｎｄ  ｐｒｉｎｔｉｎｇ）について、そして例えば特許文献３（Ａｇｆａ）および特許文献４（Ａｇｆａ）では銅表面上へのエッチレジスト（ｅｔｃｈ  ｒｅｓｉｓｔ）の適用について開示された。
【０００４】
このようなインキジェット印刷法は、複雑さを減少させ、廃棄物を最少にすることにより、ＰＣＢの製造のコスト効率をより良くする。
【０００５】
またソルダーマスクの適用に関して、インキジェット印刷法およびインキジェットインキは、例えば特許文献５（Ａｖｅｃｉａ）および特許文献６（Ｔａｉｙｏ  Ｉｎ  Ｍａｎｕｆａｃｔｕｒｉｎｇ）に開示された。
【０００６】
液晶ディスプレイ素子およびプリント回路基板を製造するために使用される難燃剤コーティングは、特許文献７（ＪＮＣ  Ｃｏｒｐｏｒａｔｉｏｎ）に開示されている。ＰＣＢ用のコーティングに固体難燃剤添加物の使用は、特許文献８（Ｆｕｊｉ  Ｘｅｒｏｘ）に開示されている。
【０００７】
ソルダーマスクは、ＰＣＢの成形加工、組み立ておよび最終使用の期間中に複数の機能を達成する恒久的保護膜コーティングである。
【０００８】
ソルダーマスクの主目的の一つは、組み立て工程中にはんだとの相互反応から回路を防護することである。
【０００９】
またソルダーマスクは、混入物の集積から、そしてＰＣＢの有効寿命期間中の劣化から、薄板（ｌａｍｉｎａｔｅｓ）、穴およびトレースを防御する。
【００１０】
またソルダーマスクは、ＰＣＢの構成部品とトレースとの間の既知の誘電性絶縁体としても働く。
【００１１】
ソルダーマスクは、プリント回路基板の全体的可燃性を上げるべきではない。
【００１２】
ＵＶ硬化性インキは、ソルダーマスクインキの設計のために好ましい。
【００１３】
フリーラジカル重合性インキは迅速に硬化し、しかも高い架橋度を可能にして、優れた耐薬品性および機械的特性をもたらす。
【００１４】
カチオン性硬化型インキは、硬化で収縮性が問題になることはなく、そして熱的後硬化（ｔｈｅｒｍａｌ  ｐｏｓｔ  ｃｕｒｅ）と組み合わせた時に、大変良好な熱的、化学的および物理的耐性を提供する。
【００１５】
ＰＣＢの製造におけるはんだ付け工程中に誘発される高い熱応力に耐えることが可能な、良好な難燃性を有するソルダーマスクインキジェットインキを設計することが未だ必要である。
【先行技術文献】
【特許文献】
【００１６】
【特許文献１】欧州特許出願公開第２７２５０７５号明細書
【特許文献２】米国特許第７８４５７８５号明細書
【特許文献３】欧州特許出願公開第２８０９７３５号明細書
【特許文献４】欧州特許出願公開第３０００８５３号明細書
【特許文献５】欧州特許出願公開第１５４３７０４号明細書
【特許文献６】欧州特許出願公開第１６２４００１号明細書
【特許文献７】米国特許第８２７３８０５号明細書
【特許文献８】米国特許第７５５３８９１号明細書
【発明の概要】
【００１７】
発明の要約
本発明の目的は、ＰＣＢを製造するためのソルダーマスクインキジェットインキを提供することであり、ここで特に優れた物理的特性および難燃性を維持しながら、はんだ付け工程中の高い熱応力に耐える高品質なソルダーマスクが製造され得る。
【００１８】
本発明の目的は、請求項１に記載のソルダーマスクインキジェットインキにより実現される。
【００１９】
本発明のさらなる目的は、今後の記載から明らかになるであろう。
【発明を実施するための形態】
【００２０】
発明の詳細な説明
定義
例えば一官能性重合性化合物における用語「一官能性」は、重合性化合物が１個の重合性基を含むことを意味する。
【００２１】
例えば二官能性重合性化合物における用語「二官能性」は、重合性化合物が２個の重合性基を含むことを意味する。
【００２２】
例えば多官能性重合性化合物における用語「多官能性」は、重合性化合物が２個より多くの重合性基を含むことを意味する。
【００２３】
「アルキル」という用語は、アルキル基中の炭素原子のそれぞれの数に可能なすべての変形、すなわちメチル、エチル、３個の炭素原子に関して：ｎ−プロピルおよびイソプロピル；４個の炭素原子に関して：ｎ−ブチル、イソブチルおよび第３級−ブチル；５個の炭素原子に関して：ｎ−ペンチル、１，１−ジメチル−プロピル、２，２−ジメチルプロピルおよび２−メチル−ブチル等を意味する。
【００２４】
特段の定めがない場合、置換または非置換アルキル基は、好ましくはＣ1〜Ｃ6−アルキ
ル基である。
【００２５】
特段の定めがない場合、置換または非置換アルケニル基は、好ましくはＣ2〜Ｃ6−アルケニル基である。
【００２６】
特段の定めがない場合、置換または非置換アルキニル基は、好ましくはＣ2〜Ｃ6−アルキニル基である。
【００２７】
特段の定めがない場合、置換または非置換アラルキル基は、好ましくは１、２、３個またはそれより多いＣ1〜Ｃ6−アルキル基を含むフェニルまたはナフチル基である。
【００２８】
特段の定めがない場合、置換または非置換アルカリール基は、好ましくフェニル基またはナフチル基を含むＣ7〜Ｃ20−アルキル基である。
【００２９】
特段の定めがない場合、置換または非置換アリール基は、好ましくはフェニル基またはナフチル基である。
【００３０】
特段の定めがない場合、置換または非置換ヘテロアリール基は、好ましくは１，２または３個の酸素原子、窒素原子、硫黄原子、セレン原子またはそれらの組み合わせにより置換された５−または６−員環である。
【００３１】
例えば置換されたアルキル基における「置換された」という用語は、アルキル基が通常そのような基中に存在する原子、すなわち炭素および水素以外の他の原子により置換されることができることを意味する。例えば置換されたアルキル基はハロゲン原子またはチオール基を含むことができる。非置換アルキル基は炭素および水素原子のみを含む。
【００３２】
特段の定めがない場合、置換されたアルキル基、置換されたアルケニル基、置換されたアルキニル基、置換されたアラルキル基、置換されたアルカリール基、置換されたアリール基、および置換されたヘテロアリール基は、好ましくはメチル、エチル、ｎ−プロピル、イソプロピル、ｎ−ブチル、イソブチルおよび第３級−ブチル、エステル、アミド、エーテル、チオエーテル、ケトン、アルデヒド、スルホキシド、スルホン、スルホネートエステル、スルホンアミド、−Ｃｌ、−Ｂｒ、−Ｉ、−ＯＨ、−ＳＨ、−ＣＮおよび−ＮＯ2からなる群から選択される１または複数の構成要素により置換される。
【００３３】
放射線硬化型ソルダーマスクインキジェットインキ
放射線硬化型ソルダーマスクインキジェットインキは、以下に記載するように光開始剤、重合性化合物および難燃剤を含んでなる。
【００３４】
放射線硬化型ソルダーマスクインキジェットインキは、さらに他の重合性化合物、接着促進化合物、着色剤、高分子分散剤、重合阻害剤、または界面活性剤を含んでなることができる。
【００３５】
ソルダーマスクインキジェットインキは、電子線（ｅ−ｂｅａｍ）で硬化できるが、好ましくはＵＶ照射、より好ましくはＵＶ  ＬＥＤからのＵＶ光で硬化される。ソルダーマスクインキジェットインキは、このように好ましくはＵＶ硬化型インキジェットインキである。
【００３６】
信頼性のある工業用のインキジェット印刷には、放射線硬化型インキジェットインキの粘度は、４５℃で２０ｍＰａ．ｓ以下であることが好ましく、より好ましくは４５℃で１から１８ｍＰａ．ｓの間であり、そして最も好ましくは４５℃で４から１４ｍＰａ．ｓの
間である。
【００３７】
良好な画質および接着には、放射線硬化型インキジェットインキの表面張力は、２５℃で１８から７０ｍＮ／ｍの範囲が好ましく、より好ましくは２５℃で２０から４０ｍＮ／ｍの範囲である。
【００３８】
難燃剤
放射線硬化型ソルダーマスクインキジェットインキは、式Ｉに従う難燃剤を含んでなり、
【化１】
2021507966.tif 000002
式中、
Ｒ1は、置換もしくは非置換アルキル基、置換もしくは非置換アルケニル基、置換もしくは非置換アルキニル基、置換もしくは非置換アルカリール基、置換もしくは非置換アラルキル基、および置換もしくは非置換アリール基からなる群から独立して選択され；
Ｒ2は、ＯＲ4、水素、置換もしくは非置換アルキル基、置換もしくは非置換アルケニル基、置換もしくは非置換アルキニル基、置換もしくは非置換アルカリール基、置換もしくは非置換アラルキル基、および置換もしくは非置換アリール基からなる群から選択され；
Ｒ3は、ＯＲ5、置換もしくは非置換アルキル基、置換もしくは非置換アルケニル基、置換もしくは非置換アルキニル基、置換もしくは非置換アルカリール基、置換もしくは非置換アラルキル基、および置換もしくは非置換アリール基からなる群から選択され；
Ｒ4およびＲ5は、置換もしくは非置換アルキル基、置換もしくは非置換アルケニル基、置換もしくは非置換アルキニル基、置換もしくは非置換アルカリール基、置換もしくは非置換アラルキル基、および置換もしくは非置換アリール基からなる群から選択され；
ただしＲ1からＲ5の少なくとも１つは置換もしくは非置換アリールを表す。
【００３９】
好適な態様では、Ｒ1からＲ5の少なくとも２つが置換もしくは非置換アリール基により表される。
【００４０】
最も好適な態様では、Ｒ1からＲ5が置換もしくは非置換アリール基を表す。
【００４１】
本発明による難燃剤は、ホスフェートおよびホスホネートからなる群から選択される２以上の官能基を含んでなることができる。
【００４２】
好適な態様では難燃剤の分子量は、好ましくは３０００以下、より好ましくは１５００以下、そして最も好ましくは１０００以下である。
【００４３】
特に好適な態様では、本発明による難燃剤はハロゲンを含まない。
【００４４】
最も好適な態様では、本発明による難燃剤はヘテロ原子によりさらに置換されない。
【００４５】
本発明による別の特に好適な難燃剤は、式ＩＩに従う化学構造を有し、
【化２】
2021507966.tif 000003
式中、
Ｒ６からＲ９が置換もしくは非置換アリール基を独立して表し、そしてＬが芳香族炭素原子を介してホスフェート基に結合した二価の連結基を表す。
【００４６】
好ましくは式ＩＩに従う難燃剤が、ビスフェノールＡ，ビスフェノールＡＰ，ビスフェノールＢ，ビスフェノールＢＰ，ビスフェノールＣ，ビスフェノールＥ，ビスフェノールＦ，ビスフェノールＧ，ビスフェノールＭ，ビスフェノールＳ，ビスフェノールＰ，ビスフェノールＰＨ，ビスフェノールＴＭＣ，ビスフェノールＺおよびレゾルシノールからなる群から選択される二官能性フェノール化合物のジホスフェートエステルである。
【００４７】
Ｒ６からＲ９が好ましくはフェニル基を表す。
【００４８】
本発明による難燃剤を表１に示すが、これらに限定されない。
【表１−１】
2021507966.tif 000004
【表１−２】
2021507966.tif 000005
【００４９】
放射線硬化型ソルダーマスクインキジェットインキ中の難燃剤の量は、インキジェットインキの総重量に対して好ましくは０．２５重量％から２０重量％の間、より好ましくは０．５重量％から１５重量％の間、最も好ましくは１重量％から１０重量％の間である。
【００５０】
前記の難燃剤に加えて、放射線硬化型インキジェットは他の難燃剤を含んでなることができる。
【００５１】
重合性化合物
ソルダーマスクインキジェットインキは、カチオン性またはフリーラジカル重合性化合物を含むことができる。
【００５２】
フリーラジカル重合性化合物
フリーラジカル重合性化合物はモノマー、オリゴマーおよび／またはプレポリマーであ
ることができる。モノマーはまた、希釈剤とも呼ばれる。
【００５３】
これらのモノマー、オリゴマーおよび／またはプレポリマーは、異なる程度の官能性を有することができる。一官能性、二官能性、三官能性およびそれより高い官能性モノマー、オリゴマーおよび／またはプレポリマーの組み合わせを含む混合物を使用することができる。放射線硬化型インキジェットインキの粘度は、モノマーとオリゴマーとの間の比率を変動させることにより調整することができる。
【００５４】
好適な態様では、モノマー、オリゴマーまたはポリマーは、重合性基として少なくとも１個のアクリレート基を含む。
【００５５】
好適なモノマーおよびオリゴマーは、欧州特許出願公開第１９１１８１４（Ａ）号明細書中の段落［０１０６］から［０１１５］に挙げられるものである。
【００５６】
好適な態様では、放射線硬化型インキジェットインキは、ビニルエーテル基およびアクリレートまたはメタクリレート基を含むモノマーを含んでなる。そのようなモノマーは、欧州特許出願公開第２８４８６５９（Ａ）号明細書の段落［００９９］から［０１０４］に開示されている。ビニルエーテル基およびアクリレート基を含有する特に好適なモノマーは、２−（２−ビニルオキシエトキシ）エチル  アクリレートである。
【００５７】
特に好適な態様では、ソルダーマスクインキジェットインキはネオペンチル  グリコール  ヒドロキシピバレート  ジアクリレート、イソボルニル  アクリレート、ジプロピレン  グリコール  ジアクリレート、トリメチロール  プロパン  トリアクリレート、および２−（ビニルエトキシ）エチル  アクリレートからなる群から選択されるフリーラジカル重合性化合物を含んでなる。
【００５８】
カチオン性重合性化合物
カチオン性重合性化合物は、モノマー、オリゴマーおよび／またはプレポリマーであることができる。
【００５９】
これらのモノマー、オリゴマーおよび／またはプレポリマーは、異なる程度の官能性を有することができる。一官能性、二官能性、三官能性およびより高い官能性モノマー、オリゴマーおよび／またはプレポリマーを使用することができる。放射線硬化型インキジェットインキの粘度は、モノマーとオリゴマーとの間の比率を変動させることにより調整することができる。
【００６０】
好適な態様では、モノマー、オリゴマーまたはポリマーは少なくとも１つのエポキシ、または１つのビニルエーテル、または１つのオキセタン基を重合性基として含む。
【００６１】
少なくとも１つのエポキシド基を含有するモノマー、オリゴマーまたはプレポリマーの例には、脂環式エポキシ化合物、例えばビス−（３，４−エポキシシクロヘキシル）−アジペート，３、４−エポキシシクロヘキシルメチル−３，４−エポキシシクロヘキサン  カルボキシレート，ポリ［（２−オキシラニル）−１，２−シクロヘキサンジオール］−２−エチル−２−（ヒドロキシメチル）−１，３−プロパンジオール  エーテル，７−オキサ―ビシクロ［４．１．０］ヘプタン−３−カルボン酸、および７−オキサビシクロ［４．１．０］ヘプタ−３−イルメチル  エステル；ジオール誘導体を含むエーテル誘導体、例えば１，４−ブタンジオール  ジグリシジルエーテルおよびネオペンチル  グリコール  ジグリシジルエーテル；およびグリシジル  エーテル、例えばｎ−ブチル  グリシジル  エーテル，蒸留ブチル  グリシジル  エーテル，２−エチルヘキシル  グリシジル  エーテル，Ｃ８−Ｃ１０脂肪族グリシジル  エーテル，Ｃ１２−Ｃ１４脂肪族  グリシジル  エーテル，ｏ−クレシル  グリシジル  エーテル，ｐ−三級ブチル  フェニル  グリシジル  エーテル，ノニル  フェニル  グリシジル  エーテル，フェニル  グリシジル  エーテル，シクロヘキサンジメタノール  ジグリシジル  エーテル，ポリプロピレン  グリコール  ジグリシジル  エーテル，ポリグリコール  ジグリシジル  エーテル，ジブロモ  ネオペンチル  グリコール  ジグリシジル  エーテル、トリメチルプロパン  トリグリシジル  エーテル，ヒマシ油トリグリシジル  エーテル，プロポキシル化グリセリン  トリグリシジル  エーテル，ソルビトール  ポリグリシジル  エーテル，ネオデカン酸のグリシジル  エステル；およびグリシジル  アミン、例えばエポキシド化メタ―キシレンジアミンを含む。
【００６２】
少なくとも１つのビニル  エーテル基を含むモノマー、オリゴマーまたはプレポリマーの例には、ビス［４−（ビニルオキシ）ブチル］１，６−ヘキサンジイルビスカルバメート，ビス［４−（ビニルオキシ）ブチル］イソフタレート，ビス［４−（ビニルオキシ）ブチル］（メチレンジ−４，１−フェニレン）−ビスカルバメート，ビス［４−（ビニルオキシ）ブチル］スクシネート，ビス［４−（ビニルオキシ）ブチル］テレフタレート，２−（２−ビニルオキシエトキシ）エチル  アクリレート，ビス［４−（ビニルオキシメチル）シクロヘキシルメチル］グルタレート，１，４−ブタンジオール  ジビニル  エーテル，１，４−ブタンジオール  ビニル  エーテル，ブチル  ビニル  エーテル，ｔｅｒｔ−ブチル  ビニル  エーテル，２−クロロエチル  ビニル  エーテル，１，４−シクロヘキサンジメタノール  ジビニル  エーテル，１，４−シクロヘキサンジメタノール  ビニル  エーテル，シクロヘキシル  ビニル  エーテル，ジ（エチレン  グリコール）ジビニル  エーテル，ジ（エチレン  グリコール）ビニル  エーテル，ジエチル  ビニル  オルトホルメート，ドデシル  ビニル  エーテル，エチレン  グリコール  ビニル  エーテル，２−エチルヘキシル  ビニル  エーテル，エチル−１−プロペニル  エーテル，エチル  ビニル  エーテル，イソブチル  ビニル  エーテル，フェニル  ビニル  エーテル，プロピル  ビニル  エーテル，トリス［４−（ビニルオキシ）ブチル］トリメリテートを含む。
【００６３】
少なくとも１つのオキセタン基を含むモノマー、オリゴマーまたはプレポリマーの例には、３，３’−オキシビス（メチレン）ビス（３−エチルオキセタン），１，４−ビス（（（３−エチルオキセタン−３−イル）メトキシ）メチル）ベンゼン，および３−エチル−３−［（２−エチルヘキシルオキシ）２５メチル］オキセタンを含む。好適な態様では、放射線硬化型インキジェットインキは、ビニル  エーテル基およびアクリレートまたはメタクリレート基を含むモノマーを含んでなる。そのようなモノマーは、欧州特許出願公開第２８４８６５９（Ａ）号明細書の段落［００９９］から［０１０４］）に開示されている。ビニル
エーテル基およびアクリレート基を含む特に好適なモノマーは、２−（２−ビニルオキシエトキシ）エチル  アクリレートである。
【００６４】
別の好適な態様では、ソルダーマスクインキジェットインキは、ビス−（３，４−エポキシシクロヘキシル）アジペート，３、４−エポキシシクロヘキシルメチル−３，４−エポキシシクロヘキサン  カルボキシレートおよび７−オキサ―ビシクロ［４．１．０］ヘプタン−３−カルボン酸７−オキサビシクロ［４．１．０］ヘプタ−３−イルメチル  エステルからなる群から選択されるカチオン性重合性化合物を含んでなる。
【００６５】
接着促進剤
ソルダーマスクインキジェットインキは、接着促進剤、例えば国際公開第２００４／０２８２２５号パンフレットに開示されたものを含んでなることが好ましい。
【００６６】
好適な接着促進剤は、２−カルボキシエチルアクリレートである。
【００６７】
フェノール化合物
ソルダーマスクインキジェットインキは、好ましくは少なくとも２つのフェノール基を含んでなるフェノール化合物を含んでなる。フェノール化合物は、２，３，４個またはそれより多くのフェノール基を含んでなることができる。
【００６８】
好適なフェノール化合物は、２個のフェノール基を含んでなる。
【００６９】
特に好適なフェノール化合物は、式ＩＩ：
【化３】
2021507966.tif 000006
の構造を有し、式中、
Ｒ3およびＲ4は、水素原子、置換もしくは非置換アルキル基、ヒドロキシル基、および置換もしくは非置換アルコキシ基からなる群から独立して選択され、
Ｙは、ＣＲ5Ｒ6，ＳＯ2，ＳＯ，Ｓ，ＯおよびＣＯからなる群から選択され、
Ｒ5およびＲ6は、水素原子、置換もしくは非置換アルキル基、置換もしくは非置換アルケニル基、置換もしくは非置換アルキニル基、置換もしくは非置換アルカリール基、置換もしくは非置換アラルキル基、置換もしくは非置換（ヘテロ）アリール基からなる群から独立して選択され、
Ｒ5およびＲ6は、５から８員環を形成するために必要な原子を表すことができる。
【００７０】
Ｙは、好ましくはＣＲ5Ｒ6またはＳＯ2であり、Ｒ5およびＲ6は好ましくは水素原子またはアルキル基を表す。
【００７１】
別の好適な態様では、フェノール化合物は少なくとも２個のフェノール基を含んでなるポリマーである。好ましくは少なくとも２個のフェノール基を含んでなるポリマーは、分岐またはハイパーブランチ（ｈｙｐｅｒｂｒａｎｃｈｅｄ）ポリマーである。
【００７２】
少なくとも２個のフェノール基を含んでなる好適なポリマーは、フェノール樹脂、すなわちノボラックまたはレゾールである。
【００７３】
フェノール樹脂は、フェノール化合物とアルデヒドまたはケトンとの反応生成物である。使用できるフェノールは：フェノール、ｏ−クレゾール、ｐ−クレゾール、ｍ−クレゾール、２，４−キシレノール、３，５−キシレノール、または２，５−キシレノールである。使用できるアルデヒドは、ホルムアルデヒド、アセトアルデヒドまたはアセトンである。
【００７４】
ノボラックの調製に最も広く使用されている方法は、フェノール／クレゾールおよびホルムアルデヒドの酸―触媒型１段階合成であり、これは樹脂の統計的構造を導く（以下の反応スキームを参照されたい）。
【化４】
2021507966.tif 000007
【００７５】
一般に、塩酸、硫酸、ｐ−トルエン硫酸、またはシュウ酸が触媒として使用される。ホルムアルデヒドおよびフェノール／クレゾールの種々の比率は通常、レギュラーノボラック樹脂で採用される。より高いフェノール含量で分岐度が上がり、一方、反応はオルトおよびパラ―位で生じる可能性がある。ｐ−クレゾール含量がより高い樹脂では、メチル基の存在によりパラ―位がブロックされるので、より多くの直鎖ポリマーが得られる。
【００７６】
フェノールおよびホルムアルデヒドのノボラックコポリマーは、反応がオルト―およびパラ―位の両方で起こるので高度な分岐を有することになる。粘度を下げるために、高度な分岐および／低分子量が好適である。クレゾールでのノボラックには、ｍ−クレゾールの使用がｏ−クレゾールおよびｐ−クレゾールよりも容易に高分子量を与えることができる。
【００７７】
フェノール樹脂は塩基性触媒型反応でも調製でき、この反応はレゾールの形成を導く。レゾールは、メチロール基も有するフェノールポリマーである。
【００７８】
ソルダーマスクインキジェットインキ中への包含には、ノボラック樹脂のみが高温（＞１５０Ｃ）で反応性であることから、十分なインク安定性を得るためにはノボラック樹脂が好適となる。レゾールはすでに低温で反応する可能性があり、そしてメチロール基の存在により、インキジェットインキの良くない耐薬品性を生じる恐れがある。
【００７９】
少なくとも２個のフェノール基を有する、より良く定められた分岐ポリマーは、米国特許第５５５４７１９号および米国特許出願公開第２００５２５００４２号明細書に開示されるような４−ヒドロキシフェニルメチルカルビノールを使用して調製することができる。４−ヒドロキシフェニルメチルカルビノールから調製される、少なくとも２個のフェノール基を有する特に好適な分岐ポリマーは、Ｄｕ  Ｐｏｎｔ  Ｅｌｅｃｔｒｏｎｉｃ  Ｐｏｌｙｍｅｒｓにより開発されており、そしてＨｙｄｒｉｔｅ  Ｃｈｅｍｉｃａｌ  Ｃｏｍｐａｎｙから商標ＰＳＨ−ＢまたはＰＢ−５（ＣＡＳＲＮ  １６６１６４−７６−７）で供給されている。
【００８０】
本発明によるフェノール化合物の例を表２に与えるが、これらに限定されない。
【表２−１】
2021507966.tif 000008
【表２−２】
2021507966.tif 000009
【表２−３】
2021507966.tif 000010
【表２−４】
2021507966.tif 000011
【表２−５】
2021507966.tif 000012
【表２−６】
2021507966.tif 000013
【００８１】
少なくとも２個のフェノール基を有するポリマーの典型例を表３に与えるが、これらに限定されない。
【表３】
2021507966.tif 000014
【００８２】
フェノール化合物の量は、インキジェットインキの総重量に対して好ましくは０．５重
量％から２０重量％の間、より好ましくは１重量％から１５重量％の間、最も好ましくは２．５重量％から１０重量％の間である。
【００８３】
着色剤
ソルダーマスクインキジェットインキは実質的に無色のインキジェットインキであるが、好ましくは放射線硬化型インキジェットは少なくとも１種の着色剤を含む。
【００８４】
ソルダーマスクインキジェットインキの着色剤は顔料または染料でよいが、好ましく顔料である。
【００８５】
着色顔料はＨＥＲＢＳＴ，Ｗｉｌｌｙ  ｅｔ  ａｌ．著，Ｉｎｄｕｓｔｒｉａｌ  Ｏｒｇａｎｉｃ  Ｐｉｇｍｅｎｔｓ，Ｐｒｏｄｕｃｔｉｏｎ，Ｐｒｏｐｅｒｔｉｅｓ，Ａｐｐｌｉｃａｔｉｏｎｓ，第３版．Ｗｉｌｅｙ−ＶＣＨ，２００４．ＩＳＢＮ  ３５２７３０５７６９により開示されているものから選ぶことができる。
【００８６】
適切な顔料は、国際公開第２００８／０７４５４８号パンフレットの段落［０１２８］から［０１３８］に開示されている。
【００８７】
インキジェットインキ中の顔料粒子は、インキジェット印刷装置を通過する、特に吐出ノズルでのインキの自由な流れを可能にするのに十分に小さくなければならない。また最大色濃度のため、ならびに沈降を遅らせるためにも小さい粒子を用いることが望ましい。最も好ましくは平均顔料粒度（ａｖｅｒａｇｅ  ｐｉｇｍｅｎｔ  ｐａｒｔｉｃｌｅ  ｓｉｚｅ）は１５０ｎｍ以下である。顔料粒子の平均粒度は、好ましくは動的光散乱法の原理に基づきＢｒｏｏｋｈａｖｅｎ  Ｉｎｓｔｒｕｍｅｎｔｓ  Ｐａｒｔｉｃｌｅ  Ｓｉｚｅｒ  ＢＩ９０ｐｌｕｓで測定される。
【００８８】
ＰＣＢでは、ソルダーマスクは一般に青色または緑色の着色を有する。青色顔料は好ましくはフタロシアニン系の１種である。青色顔料の例は、Ｃ．Ｉ．Ｐｉｇｍｅｎｔ  Ｂｌｕｅ  １，１５、１５：１、１５：２、１５：３、１５：４、１５：６、１６、２４および６０である。
【００８９】
緑色顔料は一般に青色と黄色またはオレンジ色顔料との混合物であるか、あるいはハロゲン化フタロシアニン、例えば銅またはニッケル臭素化フタロシアニンのような緑色顔料または染料自体でよい。
【００９０】
好適な態様では、着色剤は放射線硬化型インキジェットインキの総重量に基づき０．２重量％〜６．０重量％、より好ましくは０．５重量％〜２．５重量％の量で存在する。
【００９１】
高分子分散剤
放射線硬化型インキジェット中の着色剤が顔料ならば、放射線硬化型インキジェットインキは顔料を分散するために好ましくは分散剤を含み、より好ましくは高分子分散剤を含む。
【００９２】
適切な高分子分散剤は２つのモノマーのコポリマーであるが、３，４，５またはさらにそれ以上のモノマーを含むことができる。高分子分散剤の特性は、モノマーの性質およびそれらのポリマー中での分布の双方に依存する。コポリマー分散剤は好ましくは以下のポリマー組成を有する：
―統計的に重合されたモノマー（例えばモノマーＡおよびＢがＡＢＢＡＡＢＡＢに重合）；
―交互重合化モノマー（例えばモノマーＡおよびＢがＡＢＡＢＡＢＡＢに重合）；
―グラジエント（テーパー型）重合化モノマー（例えばモノマーＡおよびＢがＡＡＡＢＡＡＢＢＡＢＢＢに重合）；
―ブロックコポリマー（例えばモノマーＡおよびＢがＡＡＡＡＡＢＢＢＢＢＢに重合）、ここで各ブロックのブロック長（２，３，４，５またはそれ以上）が高分子分散剤の分散能に重要となる；
―グラフトコポリマー（グラフトコポリマーは、重合骨格と骨格に付いた重合側鎖からなる）；および
―これらポリマーの混合形、例えばブロックグラジエントコポリマー。
【００９３】
適切な高分子分散剤は、欧州特許出願公開第１９１１８１４（Ａ）号明細書の「分散剤」、より詳細には［００６４］から［００７０］および［００７４］から［００７７］に列挙されている。
【００９４】
市販の高分子分散剤の例は以下の通りである：
・ＢＹＫ  ＣＨＥＭＩＥ  ＧＭＢＨから入手可能なＤＩＳＰＥＲＢＹＫ（商標）分散剤；・ＮＯＶＥＯＮから入手可能なＳＯＬＳＰＥＲＳＥ（商標）分散剤；
・ＥＶＯＮＩＫからのＴＥＧＯ（商標）ＤＩＳＰＥＲＳ（商標）分散剤；
・ＭＵＥＮＺＩＮＧ  ＣＨＥＭＩＥからのＥＤＡＰＬＡＮ（商標）分散剤；
・ＬＹＯＮＤＥＬＬからのＥＴＨＡＣＲＹＬ（商標）分散剤；
・ＩＳＰからのＧＡＮＥＸ（商標）分散剤；
・ＣＩＢＡ  ＳＰＥＣＩＡＬＴＹ  ＣＨＥＭＩＣＡＬＳ  ＩＮＣからのＤＩＳＰＥＸ（商標）およびＥＦＫＡ（商標）分散剤；
・ＤＥＵＣＨＥＭからのＤＩＳＰＯＮＥＲ（商標）分散剤；および
・ＪＯＨＮＳＯＮ  ＰＯＬＹＭＥＲからのＪＯＮＣＲＹＬ（商標）分散剤。
【００９５】
光開始剤および光開始系
放射線硬化型インキジェットインキは、好ましくは少なくとも１つの光開始剤を含むが、複数の光開始剤および／または共開始剤（ｃｏ−ｉｎｉｔｉａｔｏｒ）を含む光開始系を含んでもよい。
【００９６】
ソルダーマスクインキジェットインキに使用する重合性化合物に依存して、カチオン性またはフリーラジカル開始剤または開始系、またはそれらの組み合わせを使用することができる。
【００９７】
カチオン性開始剤は、適切なモノマー、オリゴマーおよびプレポリマー、例えば少なくとも１つのエポキシ、オキセタンまたはビニル  エーテル基を含むようなものの重合を、化学線照射に暴露された時にブレンステッド酸の生成により開始する化学化合物である。
【００９８】
フリーラジカル光開始剤は、化学線照射に暴露された時、フリーラジカルの形成によりモノマーおよびオリゴマーの重合を開始する化学化合物である。ノリッシュＩ型開始剤は励起後に開裂する開始剤であり、即座に開始ラジカルを生じる。ノリッシュＩＩ型開始剤は、化学線照射により活性化される光開始剤であり、そして実際の開始フリーラジカルになる第二化合物から水素を引き抜くことによりフリーラジカルを形成する。この第二化合物は重合相乗剤または共開始剤（ｃｏ−ｉｎｉｔｉａｔｏｒ）と呼ばれる。Ｉ型およびＩＩ型光開始剤の両方が、本発明において単独または組み合わせて使用され得る。
【００９９】
適切な光開始剤はＣＲＩＶＥＬＬＯ，Ｊ．Ｖ．，ｅｔ  ａｌ．Ｐｈｏｔｏｉｎｉｔｉａｔｏｒｓ  ｆｏｒ  Ｆｒｅｅ  Ｒａｄｉｃａｌ  Ｃａｔｉｏｎｉｃ  ａｎｄ  Ａｎｉｏｎｉｃ  Ｐｈｏｔｏｐｏｌｙｍｅｒｉｚａｔｉｏｎ．第二版、ＢＲＡＤＬＥＹ，Ｇ．編集、Ｌｏｎｄｏｎ，ＵＫ：Ｊｏｈｎ  Ｗｉｌｅｙ  ａｎｄ  Ｓｏｎｓ  Ｌｔｄ，１９９８．ｐ
．２７６−２９３に開示されている。
【０１００】
カチオン性光開始剤の具体例には、限定するわけではないが以下の化合物またはそれらの組み合わせを含むことができる：場合によりモノ―またはポリ−［４−（フェニルチオジフェニル）］スルホニウム  ヘキサフルオロホスフェートまたはヘキサフルオロアンチモネートと組み合わせることができるビス［４−（ジフェニルスルホニオ）−フェニル］スルフィド  ビス−ヘキサフルオロホスフェートまたはビス−ヘキサフルオロアンチモネート；ビス［４−（ジ（４−（２−ヒドロキシエチル）フェニル）スルホニオ−フェニル］スルフィド  ビス−ヘキサフルオロホスフェート；ビス［４−（ジ（４−（２−ヒドロキシエチル）フェニル）スルホニオ）−フェニル］スルフィド  ビス−ヘキサフルオロアンチモネート；（η6−２，４−（シクロペンタジエニル）［（１，２，３，４，５，６−η）−（メチルエチル）ベンゼン］−鉄（ＩＩ）  ヘキサフルオロホスフェート；４−イソプロピル−４−メチル  ジフェニルヨードニウム  ヘキサフルオロホスフェート；ジフェニルヨードニウム  ヘキサフルオロホスフェート；４−イソプロピル−４−メチル  ジフェニルヨードニウム  テトラキス−（ペンタ−フルオロフェニル）ボレート；ジフェニルヨードニウム  テトラキス−（ペンタ−フルオロフェニル）ボレートおよび；２’−ヒドロキシ−２−フェニル−３−トルエンスルホニルオキシ−プロピオフェノン、１０−ビフェニル−４−イル−２−イソプロピル−９−オキソ−９Ｈ−チオキサンテン−１０−イウム  ヘキサフルオロホスフェート。
フリーラジカル光開始剤の具体例には、限定するわけではないが以下の化合物またはそれらの組み合わせを含むことができる：ベンゾフェノンおよび置換ベンゾフェノン、１−ヒドロキシシクロヘキシル  フェニルケトン、チオキサントン、例えばイソプロピルチオキサントン、２−ヒドロキシ―２−メチル―１−フェニルプロパン―１−オン、２−ベンジル―２−ジメチルアミノ―（４−モルホリノフェニル）ブタン―１−オン、ベンジルジメチルケタール、ビス（２，６−ジメチルベンゾイル）−２，４，４−トリメチルペンチルホスフィン  オキシド、２，４，６−トリメチルベンゾイル―ジフェニルホスフィン  オキシド、２，４，６−トリメトキシベンゾイルジフェニルホスフィン  オキシド、２−メチル―１−［４−（メチルチオ）フェニル］−２−モルホリノプロパン−１−オン、２，２−ジメトキシ−１，２−ジフェニルエタン−１−オンまたは５，７−ジヨード−３−ブトキシ−６−フルオロン。
【０１０１】
適切な市販されているフリーラジカル光開始剤には、ＣＩＢＡ  ＳＰＥＣＩＡＬＴＹ  ＣＨＥＭＩＣＡＬＳから入手可能なＩｒｇａｃｕｒｅ（商標）１８４、Ｉｒｇａｃｕｒｅ（商標）５００、Ｉｒｇａｃｕｒｅ（商標）３６９、Ｉｒｇａｃｕｒｅ（商標）１７００、Ｉｒｇａｃｕｒｅ（商標）６５１、Ｉｒｇａｃｕｒｅ（商標）８１９、Ｉｒｇａｃｕｒｅ（商標）１０００、Ｉｒｇａｃｕｒｅ（商標）１３００、Ｉｒｇａｃｕｒｅ（商標）１８７０、Ｄａｒｏｃｕｒ（商標）１１７３、Ｄａｒｏｃｕｒ（商標）２９５９、Ｄａｒｏｃｕｒ（商標）４２６５およびＤａｒｏｃｕｒ（商標）ＩＴＸ、ＢＡＳＦ  ＡＧから販売されているＬｕｃｅｒｉｎ（商標）ＴＰＯ、ＬＡＭＢＥＲＴＩから販売されているＥｓａｃｕｒｅ（商標）ＫＴ０４６、Ｅｓａｃｕｒｅ（商標）ＫＩＰ１５０、Ｅｓａｃｕｒｅ（商標）ＫＴ３７およびＥｓａｃｕｒｅ（商標）ＥＤＢ、ＳＰＥＣＴＲＡ  ＧＲＯＵＰ  Ｌｔｄから販売されているＨ−Ｎｕ（商標）４７０およびＨ−Ｎｕ（商標）４７０Ｘを含む。
【０１０２】
光開始剤、好ましくはフリーラジカル光開始剤は、いわゆる拡散が妨げられらた光開始剤（ｄｉｆｆｕｓｉｏｎ  ｈｉｎｄｅｒｅｄ  ｐｈｏｔｏｉｎｉｔｉａｔｏｒ）であることができる。拡散が妨げられた光開始剤は、ベンゾフェノンのような一官能性光開始剤よりも硬化したインキ層中で大変低い移動性（ｍｏｂｉｌｉｔｙ）を現わす光開始剤である。光開始剤の移動性を下げるために幾つかの方法を使用することができる。１つの方法は、拡散速度が下がるように光開始剤の分子量を上げることである（例えば高分子光開始剤
）。別の方法は、重合するネットワークに組み込まれるように反応性を上げることである（例えば２，３またはより多くの光開始基（ｐｈｏｔｏｉｎｉｔｉａｔｉｎｇ  ｇｒｏｕｐ）を有する多官能性光開始剤および重合性光開始剤）。
【０１０３】
放射線硬化型インキジェットインキ用の拡散が妨げられた光開始剤は、好ましくは非高分子多官能性光開始剤、オリゴマーまたはポリマー光開始剤および重合性光開始剤からなる群から選択される。最も好ましくは拡散が妨げられた光開始剤は、重合性光開始剤または高分子光開始剤である。
【０１０４】
好適な拡散が妨げられた光開始剤は、ベンゾインエーテル、ベンジル  ケタール、α，αジアルコキシアセトフェノン，α−ヒドロキシアルキルフェノン，αアミノアルキルフェノン，アシルホスフィン  オキシド、アシルホスフィン  スルフィド、α−ハロケトン，α−ハロスルホンおよびフェニルグリオキサレートからなる群から選択されるノリッシュＩ型光開始剤から誘導される１もしくは複数の光開始官能基を含む。
【０１０５】
好適な拡散が妨げられた光開始剤は、ベンゾフェノン、チオキサントン、１，２−ジケトンおよびアントラキノンからなる群から選択されるノリッシュＩＩ型開始剤から誘導される１もしくは複数の光開始官能基を含む。
【０１０６】
また適切な拡散が妨げられた光開始剤は、欧州特許出願公開第２０６５３６２（Ａ）号明細書の段階［００７４］および［００７５］で二官能性および多官能性光開始剤について、段落［００７７］から［００８０］で高分子光開始剤について、そして段落［００８１］から［００８３］で重合性光開始剤について開示されているものである。
【０１０７】
光開始剤の好適な量は、放射線硬化型インキジェットインキの総重量の０．１重量％−２０重量％、より好ましくは２重量％―１５重量％、そして最も好ましくは３重量％―１０重量％である。
【０１０８】
さらに光感受性を増強するために、放射線硬化型インキジェットはさらに共開始剤を含むことができる。共開始剤の適切な例は、３つのグループに分類できる：１）三級脂肪族アミン、例えばメチルジエタノールアミン、ジメチルエタノールアミン、トリエタノールアミン、トリエチルアミンおよびＮ−メチルモルホリン；（２）芳香族アミン、例えばアミルパラジメチル―アミノベンゾエート、２−ｎ−ブトキシエチル―４−（ジメチルアミノ）ベンゾエート、２−（ジメチルアミノ）−エチルベンゾエート、エチル−４−（ジメチルアミノ）ベンゾエートおよび２−エチルヘキシル−４−（ジメチルアミノ）ベンゾエート；および（３）（メタ）クリル化アミン、例えばジアルキルアミノアルキル（メタ）クリレート（例えばジエチルアミノエチルアクリレート）またはＮ−モルホリノアルキル−（メタ）クリレート（例えば、Ｎ−モルホリノエチル−アクリレート）。好適な共開始剤は、アミノベンゾエートである。
【０１０９】
１もしくは複数の共開始剤を放射線硬化型インキジェットインキに含む場合、好ましくはこれらの共開始剤は安全性の理由から拡散が妨げられている。
【０１１０】
拡散が妨げられた共開始剤は、非ポリマーの二―または多官能性共開始剤、オリゴマーまたはポリマー共開始剤、および重合性共開始剤からなる群から選択されることが好ましい。より好ましくは、拡散が妨げられた共開始剤はポリマー共開始剤および重合性共開始剤からなる群から選択される。最も好ましくは、拡散が妨げられた共開始剤は少なくとも１つの（メタ）クリレート基を有する、より好ましくは少なくとも１つのアクリレート基を有する重合性共開始剤である。
【０１１１】
放射線硬化型インキジェットインキは、好ましくは重合性または高分子三級アミン共開始剤を含む。
【０１１２】
好適な拡散が妨げられた共開始剤は、欧州特許出願公開第２０５３１０１（Ａ）号明細書の段落［００８８］および［００９７］に開示された重合性共開始剤である。
【０１１３】
放射線硬化型インキジェットインキは、好ましくは（拡散が妨げられた）共開始剤を、放射線硬化型インキジェットインキの総重量の０．１重量％から２０重量％の量で、より好ましくは０．５重量％から１５重量％の量で、そして最も好ましくは１重量％から１０重量％の量で含む。
【０１１４】
重合阻害剤
放射線硬化型インキジェットインキは、インキの耐熱性を改善するために少なくとも１つの阻害剤を含むことができる。
【０１１５】
適切な重合阻害剤は、フェノール型酸化防止剤、ヒンダードアミン光安定化剤、リン型酸化防止剤、通常は（メタ）クリレートモノマーに使用されるハイドロキノンモノメチル
エーテル、およびハイドロキノン、ｔ−ブチルカテコール、ピロガロール、２，６−ジ−ｔｅｒｔ．ブチル―４−メチルフェノール（＝ＢＨＴ）およびフェノチアジンも使用することができる。
【０１１６】
適切な市販の阻害剤は、例えばＳｕｍｉｔｏｍｏ  Ｃｈｅｍｉｃａｌ  Ｃｏ．Ｌｔｄ．により生産されているＳｕｍｉｌｉｚｅｒ（商標）ＧＡ−８０、Ｓｕｍｉｌｉｚｅｒ（商標）ＧＭおよびＳｕｍｉｌｉｚｅｒ（商標）ＧＳ；Ｒａｈｎ  ＡＧからのＧｅｎｏｒａｄ（商標）１６、Ｇｅｎｏｒａｄ（商標）１８およびＧｅｎｏｒａｄ（商標）２２；Ｃｉｂａ  Ｓｐｅｃｉａｌｔｙ  ＣｈｅｍｉｃａｌｓからのＩｒｇａｓｔａｂ（商標）ＵＶ１０およびＩｒｇａｓｔａｂ（商標）ＵＶ２２、Ｔｉｎｕｖｉｎ（商標）４６０およびＣＧＳ２０；Ｋｒｏｍａｃｈｅｍ  ＬｔｄからのＦｌｏｒｓｔａｂ（商標）ＵＶ範囲（ＵＶ−１、ＵＶ−２、ＵＶ−５およびＵＶ−８）；Ｃｙｔｅｃ  Ｓｏｌｖａｙ  ＧｒｏｕｐからのＡｄｄｉｔｏｌ（商標）Ｓ範囲（Ｓ１００、Ｓ１１０、Ｓ１２０およびＳ１３０）およびＰＴＺである。
【０１１７】
阻害剤は好ましくは重合阻害剤である。
【０１１８】
これら重合阻害剤の過剰な添加は硬化速度を下げるので、重合を防止することができる量をブレンド前に決定することが好ましい。重合阻害剤の量は、放射線硬化型インキジェットインキの総重量の５重量％未満が好ましく、より好ましくは３重量％未満である。
【０１１９】
界面活性剤
放射線硬化型インキジェットは少なくとも１つの界面活性剤を含むことができるが、好ましくは界面活性剤は存在しない。
【０１２０】
界面活性剤はアニオン性、カチオン性、非イオン性または両イオン性であることができ、そして通常、放射線硬化型インキジェットインキの総重量に基づき１重量％未満の総量で加えられる。
【０１２１】
適切な界面活性剤は、フッ素化界面活性剤、高級アルコールの脂肪酸塩、エステル塩、高級アルコールのアルキルベンゼンスルホン酸塩、スルホコハク酸エステル塩およびリン酸エステル塩（例えばドデシルベンゼンスルホン酸ナトリウムおよびジオクチルスルホコハク酸ナトリウム）、高級アルコールのエチレンオキシド付加物、アルキルフェノールの
エチレンオキシド付加物、多価アルコール脂肪酸エステルのエチレンオキシド付加物、およびそれらのアセチレングリコールおよびエチレンオキシド付加物（例えばポリオキシエチレンノニルフェニルエーテル、およびＡＩＲ  ＰＲＯＤＵＣＴＳ  ＆  ＣＨＥＭＩＣＡＬＳ  ＩＮＣ．から入手可能なＳＵＲＦＹＮＯＬ（商標）１０４、１０４Ｈ、４４０，４６５およびＴＧ）を含む。
【０１２２】
好適な界面活性剤は、フッソ系界面活性剤（例えばフッ素化炭化水素）、およびシリコーン界面活性剤から選択される。シリコーン界面活性剤は好ましくはシロキサンであり、そしてアルコキシル化、ポリエーテル修飾化、ポリエーテル修飾化ヒドロキシ官能性、アミン修飾化、エポキシ修飾化されることができ、および他の修飾またはそれらの組み合わせであることができる。好適なシロキサンはポリマー性、例えばポリジメチルシロキサンである。
【０１２３】
好適な市販のシリコーン界面活性剤には、ＢＹＫ  ＣｈｅｍｉｅからのＢＹＫ（商標）３３３およびＢＹＫ（商標）ＵＶ３５１０およびＥｖｏｎｉｋ  ＩｎｄｕｓｔｒｉｅｓからのＴｅｇｏ  Ｒａｄ  ２１００を含む。
【０１２４】
好適な態様では、界面活性剤は重合性化合物である。
【０１２５】
好適な重合性シリコーン界面活性剤には（メタ）クリレート化シリコーン界面活性剤を含む。最も好ましくは（メタ）クリレート化シリコーン界面活性剤はアクリル化シリコーン界面活性剤であり、なぜならばアクリレートはメタクリレートより反応性が大きいからである。
【０１２６】
好適な態様では、（メタ）クリレート化シリコーン界面活性剤は、ポリエ−テル修飾化（メタ）クリレート化ポリジメチルシロキサンまたはポリエステル修飾化（メタ）クリレート化ポリジメチルシロキサンである。
【０１２７】
好ましくは界面活性剤は、放射線硬化型インキジェットインキの総重量に基づき０から３重量％の量で放射線硬化型インキジェットインキ中に存在する。
【０１２８】
インキジェットインキの調製
顔料を含む（ｐｉｇｍｅｎｔｅｄ）放射線硬化型インキジェットインキの調製は、当業者には周知である。好適な調製法は国際公開第２０１１／０６９９４３号パンフレットの段落［００７６］から［００８５］に開示されている。
【０１２９】
電子装置の製造
本発明に従い電子装置を製造する方法は：
−導電パターンを含む誘電性基板に、以下に記載する放射線硬化型ソルダーマスクインキジェットインキを噴射し；そして
−噴射したソルダーマスクインキジェットインキを硬化する、
工程を含む。
【０１３０】
電子装置は好ましくはプリント回路基板である。
【０１３１】
放射線硬化型ソルダーマスクインキジェットインキは、インキを電子線または紫外線（ＵＶ）照射のような化学線照射に暴露することにより硬化することができる。
【０１３２】
好ましくは、放射線硬化型インキジェットインキはＵＶ照射、より好ましくはＵＶ  ＬＥＤ硬化を使用することにより硬化される。
【０１３３】
この方法は、好ましくは熱処理を含む。熱処理は好ましくは硬化工程後に行われる。
【０１３４】
好適な態様では、熱処理は８０℃から２５０℃の温度で行われる。温度は好ましくは１００℃以上であり、より好ましくは１２０℃以上である。ソルダーマスクの焦げを防ぐために、温度は好ましくは２００℃以下である、より好ましくは１６０℃以下である。
【０１３５】
熱処理は一般に１５から９０分の間で行われる。
【０１３６】
熱処理の目的は、ソルダーマスクの重合度をさらに上げることである。
【０１３７】
熱処理中のこのさらなる重合は、ペルオキシド、アゾ化合物、酸無水物、およびフェノール類のようなポリマーの熱硬化を促進するラジカル開始剤、ブロック型熱酸発生剤、ブロック型酸触媒および／または熱硬化性化合物を、ソルダーマスクインキジェットインキに加えることにより加速される。
【０１３８】
電子装置の誘電性基板は、任意の非導電性材料でよい。基板は一般に紙／樹脂複合体または樹脂／ガラス繊維複合体、セラミック基板、ポリエステルまたはポリイミドである。
【０１３９】
導電性パターンは一般に、金、銀、パラジウム、ニッケル／金、ニッケル、錫、錫／鉛、アルミニウム、錫／アルミニウム、および銅のような電子装置を調製するために通常使用される金属または合金から作られる。導電性パターンは好ましくは銅から作られる。
【０１４０】
インキジェット印刷装置
放射線硬化型インキジェットインキは、インキの小液滴を制御された様式でノズルに通して基板に吐出する１もしくは複数のプリントヘッドにより噴射されることができ、この基板はプリントヘッド（１もしくは複数）に対して移動している。
【０１４１】
インキジェット印刷システムのための好ましいプリントヘッドは圧電ヘッドである。圧電インキジェット印刷は、圧電セラミック変換器に電圧がかけられる時のその動きに基づく。電圧の適用は、プリントヘッド中の圧電セラミック変換器の形を変化させて空隙を作り、次いでそれはインキで満たされる。再び電圧が取り除かれると、セラミックはその最初の形に膨張し、プリントヘッドからインキ滴を吐出する。しかしながら、本発明に従うインキジェット印刷方法は圧電インキジェット印刷に制限されない。他のインキジェットプリントヘッドも使用でき、そして連続型のような種々のタイプを含む。
【０１４２】
インキジェットプリントヘッドは通常、移動するインキ受容層表面を横切って横方向に前後を走査する。インキジェットプリントヘッドは戻って印刷しないことが多い。二方向印刷は高い面積処理量を得るために好ましい。別の好適な印刷法は「シングルパス印刷法（ｓｉｎｇｌｅ  ｐａｓｓ  ｐｒｉｎｔｉｎｇ  ｐｒｏｃｅｓｓ）」により、この方法は頁幅のインキジェットプリントヘッドまたはインキ受容層表面の幅全体を覆う多数のずらして配置されたインキジェットプリントヘッドを使用することにより行うことができる。シングルパス印刷法では、インキジェットプリントヘッドは、通常は静止したままであり、そしてインキ受容層表面がインキジェットプリントヘッド下を移送される。
【０１４３】
硬化装置
放射線硬化型組インキジェットインキは、それらを化学線、例えば電子線または紫外線照射に暴露することにより硬化され得る。好ましくは放射線硬化型インキジェットインキは、紫外線照射により、より好ましくはＵＶ  ＬＥＤ硬化を使用して硬化される。
【０１４４】
インキジェット印刷では、硬化手段は、噴射の直後に硬化性液体が硬化放射線に暴露されるように、一緒に移動しているインキジェットプリンターのプリントヘッドと組み合わせて配置されることができる。
【０１４５】
そのような配置では、ＵＶ  ＬＥＤを除いて、プリントヘッドに接続され、そして一緒に移動する十分に小さい放射線源を備えることは難しい。したがって静止した固定放射線源、例えば、光ファイバーの束または内部反射性の柔軟な管のような、可撓性の放射線伝導手段により放射線源に接続された硬化ＵＶ−光線源を使用することになる。
【０１４６】
あるいはまた、化学線は放射線ヘッド上に鏡を含む鏡の配置により、固定源から放射線ヘッドに供給されることができる。
【０１４７】
放射線源はまた、硬化される基板上を横切って横に延伸する細長い放射線源でもよい。それは、プリントヘッドにより形成される画像のその次の列が、段階的にまたは連続的にその放射線源の下方を通過するように、プリントヘッドの横断路に隣接することができる。
【０１４８】
発光の一部が光開始剤または光開始系により吸収可能である限り、高圧もしくは低圧水銀ランプ、冷陰極管、不可視光線、紫外線ＬＥＤ、紫外線レーザーおよび閃光のような任意の紫外線源が放射線源として使用され得る。これらの中で好適な線源は、３００から４００ｎｍの主要波長を有する比較的波長の長いＵＶ貢献（ＵＶ−ｃｏｎｔｒｉｂｕｔｉｏｎ）を示すものである。具体的には、ＵＶ−Ａ光源は、光線の散乱が低いためにより効率的な内部の硬化をもたらすので好ましい。
【０１４９】
ＵＶ照射は一般に以下のようにＵＶ−Ａ、ＵＶ−ＢおよびＵＶ−Ｃに分類される：
・ＵＶ−Ａ：４００ｎｍから３２０ｎｍ、
・ＵＶ−Ｂ：３２０ｎｍから２９０ｎｍ、
・ＵＶ−Ｃ：２９０ｎｍから１００ｎｍ。
【０１５０】
好適な態様では、放射線硬化型インキジェットインキはＵＶ  ＬＥＤにより硬化される。インキジェット印刷装置は、好ましくは３６０ｎｍより長い波長をもつ１もしくは複数のＵＶ  ＬＥＤ、好ましくは３８０ｎｍより長い波長を持つ１もしくは複数のＵＶ  ＬＥＤ、そして最も好適には約３９５ｎｍの波長をもつＵＶ  ＬＥＤを含む。
【０１５１】
さらに異なる波長または照度（ｉｌｌｕｍｉｎａｎｃｅ）の２つの光源を連続的にまたは同時に使用してインキ画像を硬化することが可能である。例えば、第１のＵＶ源はとりわけ２６０ｎｍから２００ｎｍの範囲のＵＶ−Ｃが豊富となるように選択されることができる。次に第２のＵＶ−源は、ＵＶ−Ａが豊富な、例えば、ガリウムドープランプ、またはＵＶ−ＡとＵＶ−Ｂの両方が高い異なるランプであることができる。２種のＵＶ−源の使用は、例えば急速な硬化速度および高い硬化度のような利点を有することが分かった。
【０１５２】
硬化を促進するために、インキジェット印刷装置はしばしば、１もしくは複数の酸素除去（ｄｅｐｌｅｔｉｏｎ）ユニットを含む。酸素除去ユニットは、硬化環境内の酸素濃度を低下させるために、調整可能な位置に、および調整可能な不活性ガス濃度で窒素または他の比較的不活性なガス（例えば、ＣＯ2）のブランケットを配置する。残留酸素レベルは通常、わずか２００ｐｐｍに維持されるが、一般には２００ｐｐｍから１２００ｐｐｍの範囲である。
【実施例】
【０１５３】
材料
以下の実施例中に使用されるすべての材料は、別記されない限り、ＡＬＤＲＩＣＨ
ＣＨＥＭＩＣＡＬ  Ｃｏ．（ベルギー）およびＡＣＲＯＳ（ベルギー）のような標準的な入手先から容易に入手可能であった。使用された水は脱イオン水であった。
【０１５４】
ＣＴＦＡは、ＡＲＫＥＭＡからＳａｒｔｏｍｅｒ（商標）ＳＲ５３１として入手可能な環式トリメチルプロパン  ホルマル  アクリレートである。
【０１５５】
ＡＣＭＯは、ＲＡＨＮから入手可能なアクリルオキシ  モルホリンである。
【０１５６】
ＣＤ４２０は、ＡＲＫＥＭＡからＳａｒｔｏｍｅｒ（商標）ＣＤ４２０として入手可能な一官能性アクリル系モノマーである。
【０１５７】
ＴＭＰＴＡは、ＡＲＫＥＭＡからＳａｒｔｏｍｅｒ（商標）ＳＲ３５１として入手可能なトリエチロールプロパン  トリアクリレートである。
【０１５８】
ＩＴＸは、ＬＡＭＢＳＯＮ  ＳＰＥＣＩＡＬＴＹ  ＣＨＥＭＩＣＡＬＳからのＳｐｅｅｄｃｕｒｅ（商標）ＩＴＸであり、イソプロピル  チオキサントン異性体の混合物である。
【０１５９】
ＴＰＯは、ＲＡＨＮ  ＡＧから供給される２，４，６−トリメチルベンゾイルジフェニルホスフィンオキシドである。
【０１６０】
ＥＰＤは、ＲＡＨＮ  ＡＧからＧｅｎｏｃｕｒｅ（商標）ＥＰＤという商標で入手可能なエチル−４−（ジメチルアミノ）ベンゾエートである。
【０１６１】
ＢＡＰＯは、ＢＡＳＦからＩｒｇａｃｕｒｅ（商標）８１９として入手可能なビス（２，４，６−トリメチルベンゾイル）−フェニルホスフィンオキシド光開始剤である。
【０１６２】
ＴＴＡ３１５０は、Ｊｉａｎｇｓｕ  Ｔｅｔｒａｃｈｅｍから入手可能なポリ［（２−オキシラニル）−１，２−シクロヘキサンジオール］−２−エチル−２−（ヒドロキシメチル）−１，３−プロパンジオール  エーテルである。
【０１６３】
２００５は、ＩＧＭ  ｒｅｓｉｎから入手可能な７−オキサビシクロ［４．１．０］ヘプタ−３−イルメチル７−オキサビシクロ［４．１．０］ヘプタン―３−カルボキシレートである。
【０１６４】
Ｇ２２は、Ｒａｈｎ  ＡＧから入手可能なＧｅｎｏｒａｄ（商標）２２である。
【０１６５】
ＢＬ５５０ｓｏｌは、プロピレンカーボネート中、ＢＬ５５０の２０重量％溶液である。
【０１６６】
ＢＬ５５０は、ＩＧＭ  ｒｅｓｉｎからＯｍｎｉｃａｔ  ＢＬ５５０として入手可能である。
【０１６７】
Ｔｅｇｏ  Ｒａｄ  ２１００は、Ｅｖｏｎｉｋ  Ｉｎｄｕｓｔｒｉｅｓからのポリシロキサン  アクリレートスリップ剤である。
【０１６８】
ＩＮＨＩＢは、表４による組成を有する重合阻害剤を形成する混合物である。
【表４】
2021507966.tif 000015
【０１６９】
Ｃｕｐｆｅｒｒｏｎ（商標）ＡＬは、ＷＡＫＯ  ＣＨＥＭＩＣＡＬＳ  ＬＴＤからのアルミニウムＮ−ニトロソフェニルヒドロキシルアミンである。
【０１７０】
Ｅｂｅｃｒｙｌ  １３６０  ＡＫは、ＡＬＬＮＥＸからのポリシロキサン  ヘキサアクリレートスリップ剤である。
【０１７１】
ＤＰＧＤＡは、ジプロピレンジアクリレートであり、ＡＲＫＥＭＡからＳａｒｔｏｍｅｒ  ＳＲ５０８として入手可能である。
【０１７２】
ＶＥＥＡは、日本のＮＩＰＰＯＮ  ＳＨＯＫＵＢＡＩから入手可能な２−（ビニルエトキシ）エチル  アクリレートである。
【０１７３】
Ｃｙａｎは、ＳＵＮ  ＣＨＥＭＩＣＡＬＳから入手可能なシアン顔料、ＳＵＮ  ＦＡＳＴ  ＢＬＵＥ  １５：４である。
【０１７４】
Ｙｅｌｌｏｗは、ＢＡＳＦからのイエロー顔料のＣＲＯＭＯＰＨＴＡＬ  ＹＥＬＬＯＷ
Ｄ  １０８５Ｊである。
【０１７５】
Ｄｉｓｐｅｒｂｙｋ  １６２は分散剤であり、ＢＹＫ（ＡＬＴＡＮＡ）から入手可能な溶液から沈殿された。
【０１７６】
ＦＲ−０１は、ＣＨＥＭＴＵＲＡからＥｍｅｒａｌｄ  ＮＨ１という商標で市販されている難燃剤である。
【０１７７】
ＦＲ−０２は、ＬＡＮＸＥＳＳからＤｉｓｆｌａｍｏｌｌ  ＤＰＫという商標で市販されている難燃剤である。
【０１７８】
ＦＲ−０５は、ＣＨＥＭＴＵＲＡからＲｅｏｆｏｓ（登録商標）６５という商標で市販されている難燃剤である。
【０１７９】
ＦＲ−０９は、ＡＤＥＫＡ  ＰＡＬＭＡＲＯＬＥからＡＤＫ  ＳＴＡＢ  ＦＰ−６００という商標で市販されている難燃剤である。
【０１８０】
ＦＲ−１５は、ＦＥＲＲＯからＳａｎｔｉｃｉｓｅｒ（登録商標）１４１という商標で市販されている難燃剤である。
【０１８１】
ＦＲ−Ｃ０１は、ＣＬＡＲＩＡＮＴからＥｘｏｌｉｔ  ＯＰ５６０という商標で市販されている難燃剤であり、そして以下の化学構造を有する。
【化５】
2021507966.tif 000016
【０１８２】
ＦＲ−Ｃ０２は、ＬＡＮＸＥＳＳからＤｉｓｆｌａｍｏｌｌ  ＴＯＦという商標で市販されている難燃剤であり、そして以下の化学構造を有する。
【化６】
2021507966.tif 000017
【０１８３】
ＦＲ−Ｃ０３は、ＬＡＮＸＥＳＳからＤｉｓｆｌａｍｏｌｌ  ４０９０Ｎという商標で市販されている難燃剤であり、そして以下の化学構造を有する。
【化７】
2021507966.tif 000018
【０１８４】
ＦＲ−Ｃ０４は、ＫＡＨＬからＴＢＥＰという商標で市販されている難燃剤であり、そして以下の化学構造を有する。
【化８】
2021507966.tif 000019
【０１８５】
方法
ソルダーマスクインキジェットインキのコーティング／プリント
ソルダーマスクインキジェットインキのＵＶ硬化、接着性、溶剤およびはんだ耐性を評価するために、インキを２５μの塗り厚で、ブラッシ済み（ｂｒｕｓｈｅｄ）銅フォイル（３５μ）上に塗布し、そしてＨ−バルブ（３回ｘ４５０ｍＪ）を使用して硬化した。さらにコーティングを１５０℃で６０分間熱硬化した。
【０１８６】
インキは、ＵＶ硬化後に硬化速度について視覚および接触で評価し、そして１（大変乾燥）から５（湿潤）の点数を与えた。インキを最終的特性の接着および溶剤耐性について熱硬化後に評価した。
【０１８７】
Ｘ−ハッチ接着（Ｘ−ｈａｔｃｈ  ａｄｈｅｓｉｏｎ）
Ｘ−ハッチ接着は、ソルダーマスクコーティング中の４×４グリッドパターンをメスを使用して切断することにより測定した。グリッドの断片は、１ｍｍ離して切断した。グリッドを切断した後、接着は粘着テープ（Ｓｃｏｔｃｈ  ６００）を表面に適用し、そして剥がすことにより評価した。
【０１８８】
視覚評価は、１（大変良好な接着）から５（大変劣る接着）の範囲の接着品質を生じた。
【０１８９】
難燃性の評価
硬化したインキジェットインキの難燃性は、垂直燃焼試験により評価した。
【０１９０】
１２７ｍｍ×２５ｍｍのサンプルを一端で垂直位置に保持した。４５℃の角度下でバーナー火炎をサンプルの自由末端に１０秒間、適用した。火炎を除いた後、火炎燃焼が収まる時間（Ｔ１）を測定した。次いで火炎を再度１０秒間適用し、そして火炎燃焼が収まる時間（Ｔ２）を再度測定した。
【０１９１】
はんだ耐性の評価
ソルダーマスクインキジェットインキのはんだ耐性を、ＳＯＬＤＥＲ  ＣＯＮＮＥＣＴＩＯＮから入手可能な、“Ｋ”等級の６３：３７錫／鉛のはんだを充填したＬ＆Ｍ  ＰＲＯＤＵＣＴＳから入手可能なＳＰＬ６００２４０  Ｄｉｇｉｔａｌ  Ｄｙｎａｍｉｃ  Ｓｏｌｄｅｒ  Ｐｏｔ（デジタルダイナミックはんだ付け槽）を使用して評価した。はんだの温度は２６０℃に設定した。
【０１９２】
ＳＯＬＤＥＲ  ＣＯＮＮＥＣＴＩＯＮからのはんだ接着用溶剤（ｓｏｌｄｅｒ  ｆｌｕｘ）ＳＣ７５６０Ａを、サンプルの表面（すなわち、銅表面上のソルダーマスクインキジェットインキのコーティング）上に綿球を使用して適用して、ここでＸ−ハッチ接着試験を行い表面を清浄化した。はんだ接着用溶剤ははんだ付け槽の上に、サンプルを１分間置くことにより乾燥させた。
【０１９３】
はんだの噴流（ｗａｖｅ）を発生させ（ｃｒｅａｔｅｄ）、そしてサンプルを噴流上に２回通し（５秒／１回）、その後サンプルをすすぎ、そして室温に冷却した。
【０１９４】
次にソルダーマスクインキジェットインキの銅表面への接着は、冷却したサンプル
上でテープ試験を用いて評価した。３Ｍからの粘着テープＳｃｏｔｃｈ  ６００をコーティングに適用し、そしてテープをその後直ぐに手で剥がした。
【０１９５】
視覚評価は、１（大変良好な接着）から５（大変劣る接着）の範囲の接着品質を生じた。
【０１９６】
粘度
インキの粘度は、Ｓｐｉｎｄｌｅ＃１８を１００ｒｐｍの速度でＢｒｏｏｋｆｉｅｌｄ
ＤＶ−ＩＩ＋Ｐｒｏ粘度計を使用して２５℃で測定した。
【０１９７】
工業的インキジェット印刷に関して、２５℃でＳｐｉｎｄｌｅ＃１８を使用した１００ｒｐｍでの粘度は、好ましくは３から４０ｍＰａ．ｓである。より好ましくは、４５℃および１０００ｓ-1の剪断速度での粘度は１５ｍＰａ．ｓ未満である。
【０１９８】
溶剤耐性
溶剤耐性は、ソルダーマスクの表面を綿球でこすり、塩化メチレン（ＣＨ2Ｃｌ2）に１分間浸すことにより評価した。次いでコーティングは浮き上がり（ｌｉｆｔｉｎｇ）、ふ
くれ（ｂｌｉｓｔｅｒｉｎｇ）または剥離について調査し、そして指の爪を使用して引っ掻いてコーティングが軟化しているかどうかを見た。視覚評価後、結果を１（良好）から５（悪い）に採点した。
【０１９９】
貯蔵安定性
貯蔵安定性は、６０℃で７日間貯蔵した後に、ソルダーマスクの２５℃での粘度の上昇を測定することにより評価した。
【０２００】
シアンおよびイエロー顔料分散物ＣＰＤおよびＹＰＤの調製
表５による組成を有する濃縮シアンおよびイエローおよび顔料分散物（それぞれＣＰＤおよびＹＰＤ）を調製した。
【表５】
2021507966.tif 000020
【０２０１】
ＣＰＤおよびＹＰＤは、以下のように調製した：１３８ｇの２−（２−ビニルオキシエトキシ）エチル  アクリレート、２ｇの溶液（ジプロピレン  グリコール  ジアクリレート中に４重量％の４−メトキシフェノール、１０重量％の２，６−ジ−ｔｅｒｔ−ブチル−４−メチルフェノールおよび３．６重量％のアルミニウム−Ｎ−ニトロソ  フェニルヒドロキシル  アミンを含む）、２００ｇの溶液（２−（２−ビニルオキシエトキシ）エチル  アクリレート中に３０重量％のＤｉｓｐｅｒｂｙｋ  １６２を含む）、および６０ｇのシアン（ＣＰＤに）または６０ｇのイエロー（ＹＰＤに）を、ＤＩＳＰＥＲＬＵＸ（商標）分散機を使用して混合した。撹拌を３０分、続行した。容器は、９００ｇの０．４ｍｍイットリウム安定化ジルコニウムビーズ（ＴＯＳＯＨ  Ｃｏからの「高い耐摩耗性ジルコニア粉砕媒体」）を充填したＮＥＴＺＳＣＨ  ＭｉｎｉＺｅｔａミルにつないだ。混合物をミルで１２０分間、循環し（４５分の滞留時間）、そしてミルの回転速度は約１０．４ｍ／ｓであった。完全な粉砕工程中、ミル中の着色剤は６０℃未満の温度に維持された。粉砕後、分散物を容器に入れた。
【０２０２】
得られた濃縮顔料分散物ＣＰＤおよびＹＰＤは、Ｍａｌｖｅｒｎ（商標）ナノ−Ｓで測定した時、それぞれ８０ｎｍおよび１３１ｎｍの平均粒度を、そして２５℃および１０ｓ-1の剪断速度でそれぞれ５１ｍＰａ．ｓおよび１１４ｍＰａ．ｓの粘度を現わした。
【実施例１】
【０２０３】
この実施例は種々の難燃剤が、カチオン性重合性ソルダーマスクインキジェットインキのＵＶ硬化、接着および溶剤耐性に及ぼす効果について具体的に説明する。
【０２０４】
放射線硬化型インキＣＯＭＰ−１からＣＯＭＰ−５およびＩＮＶ−１からＩＮＶ−４の調製
比較の放射線硬化型インキＣＯＭＰ−１からＣＯＭＰ−５および本発明の放射線硬化型インキジェットインキＩＮＶ−１からＩＮＶ−４は、表６に従い調製した。重量の百分率（重量％）は、すべて放射線硬化型インキジェットインキの総重量に基づく。
【表６−１】
2021507966.tif 000021
【表６−２】
2021507966.tif 000022
インキの性能は、前記のように試験した。結果を表７に示す。
【表７】
2021507966.tif 000023
【０２０５】
表７の結果から、本発明による難燃剤を含んでなる放射線硬化型ソルダーマスクインキジェットインキは、比較の難燃剤を有するものよりも高い硬化速度を有することが明らかである。
【実施例２】
【０２０６】
この実施例は、難燃剤を含まないインキジェットインキＣＯＭＰ−１に比べて、ＦＲ−２を使用した本発明のソルダーマスクインキジェットインキＩＮＶ−４の燃焼性の改善を示す。
【０２０７】
燃焼性は、前記垂直燃焼試験を用いて試験した。
【表８】
2021507966.tif 000024
【表９】
2021507966.tif 000025
【０２０８】
前記表８および９の結果から、本発明の難燃剤を含んでなる本発明のインキジェットインキＩＮＶ−４は、難燃剤を含まない比較のＣＯＭＰ−０１と比較して低い燃焼性を有することが明らかである。
【実施例３】
【０２０９】
この実施例は、フリーラジカル重合性ソルダーマスクインキジェットインキの燃焼性に及ぼす種々の難燃剤の効果を具体的に説明する。
【０２１０】
比較の放射線硬化型インキジェットインキＣＯＭＰ−０６、および本発明の放射線硬化型インキジェットインキＩＮＶ−０５からＩＮＶ−０７を表１０に従い調製した。重量百分率（重量％）はすべて放射線硬化型インキジェットインキの総重量に基づく。
【表１０】
2021507966.tif 000026
【０２１１】
燃焼性は前記のように試験した。結果を表１１に与える。
【表１１】
2021507966.tif 000027
【０２１２】
表１１の結果から、本発明の難燃剤を添加することはフリーラジカル重合性ソルダーマ
スクインキジェットインキの燃焼性を改善することが明らかである。本発明のインキジェットインキの他の性質、例えば接着、はんだ耐性等は高レベルに維持された。
【国際調査報告】
2021507966.tif 000030
2021507966.tif 000031
2021507966.tif 000032